(57)【要約】【課題】  磁気テープからディスク媒体へのダビングを行なう際におけるユーザの利便性が向上する記録再生装置を提供する。【解決手段】  ステップＳ１２において、制御部６は、ファイナライズ処理の実行を指示するフラグが立っているか否かを判別する。「所定期間無信号」「ＴＡＰＥ−ＥＮＤ」「ＤＩＳＣ−ＦＵＬＬ」のいずれかの条件に基づいて自動的にダビング動作が停止した場合はファイナライズ処理の実行を指示するフラグが立っているため、ステップＳ１３に進んでファイナライズ処理を実行する。一方、ユーザが操作部７を用いて手動でダビング動作を停止させた場合などファイナライズ処理の実行を指示するフラグが立っていない場合は、ファイナライズ処理を実行せずに終了する。これにより、ユーザがその場にいてモニタを確認しながら手動でファイナライズ処理を実行する手間が省ける。【選択図】        図３
2007026543.tif 000002
【特許請求の範囲】
【請求項１】
ビデオ・テープからデジタル・ビデオ・ディスクへのダビング機能を有する記録再生装置であって、
前記ビデオ・テープに対して記録および再生を行なう磁気記録再生部、
前記デジタル・ビデオ・ディスクに対して記録および再生を行なうディスク記録再生部、および
前記磁気記録再生部と前記ディスク記録再生部の動作を制御する制御部を備え、
前記制御部は、前記磁気記録再生部を再生状態にして前記ディスク記録再生部を記録状態にし、前記ビデオ・テープから前記デジタル・ビデオ・ディスクへのダビングを実行しているときに、前記ビデオ・テープがすべて再生し終わった場合にダビング動作を停止させて前記デジタル・ビデオ・ディスクを再生可能なフォーマットに変換するファイナライズ処理を実行する、記録再生装置。
【請求項２】
磁気テープからディスク媒体へのダビング機能を有する記録再生装置であって、
前記磁気テープに対して記録および再生を行なう磁気記録再生部、
前記ディスク媒体に対して記録および再生を行なうディスク記録再生部、および
前記磁気記録再生部と前記ディスク記録再生部の動作を制御する制御部を備え、
前記制御部は、前記磁気記録再生部を再生状態にして前記ディスク記録再生部を記録状態にし、前記磁気テープから前記ディスク媒体へのダビングを実行しているときに、前記磁気テープがすべて再生し終わった場合にダビング動作を停止させて前記ディスク媒体を再生可能なフォーマットに変換するファイナライズ処理を実行する、記録再生装置。
【請求項３】
磁気テープからディスク媒体へのダビング機能を有する記録再生装置であって、
前記磁気テープに対して記録および再生を行なう磁気記録再生部、
前記ディスク媒体に対して記録および再生を行なうディスク記録再生部、および
前記磁気記録再生部と前記ディスク記録再生部の動作を制御する制御部を備え、
前記制御部は、前記磁気記録再生部を再生状態にして前記ディスク記録再生部を記録状態にし、前記磁気テープから前記ディスク媒体へのダビングを実行しているときに、前記磁気テープの再生信号が所定期間継続して無信号となった場合にダビング動作を停止させて前記ディスク媒体を再生可能なフォーマットに変換するファイナライズ処理を実行する、記録再生装置。
【請求項４】
前記磁気テープはビデオ・テープであり、
前記ディスク媒体はデジタル・ビデオ・ディスクである、請求項２または請求項３に記載の記録再生装置。
【発明の詳細な説明】
【技術分野】
【０００１】
この発明は、記録再生装置に関し、特に、磁気テープからディスク媒体へのダビング機能を有する記録再生装置に関する。
【背景技術】
【０００２】
ＤＶＤ（デジタル・ビデオ・ディスク）の記録再生を行なうディスク記録再生装置と、磁気テープ（ビデオ・テープ）の記録再生を行なう磁気記録再生装置（ＶＣＲ：ビデオ・カセット・レコーダー）とが一体化された記録再生装置において、ＤＶＤと磁気テープとの間で相互にダビング（記録）を実行することができる。また、ＨＤＤ（Hard Disc Drive）が内蔵されている場合は、ＤＶＤと磁気テープとハードディスクとの間で相互にダビングを実行することができる。
【０００３】
ここで、記録済みのＤＶＤ−ＲやＤＶＤ−ＲＷに対して、他のディスク再生装置で再生可能なフォーマットに変換するファイナライズと呼ばれる処理（追記禁止処理）を行なう必要がある。このファイナライズ処理によって、ＤＶＤ−ＲやＤＶＤ−ＲＷに記録された映像データが一般の再生用ＤＶＤ−ＲＯＭのフォーマットに再構成される。
【０００４】
ディスク記録再生装置およびＨＤＤでは、デジタルデータ処理を行なうため記録ファイルごとにタイトルおよび時間の管理をすることができる。このため、たとえばハードディスクから複数の記録ファイルを選択してＤＶＤ−Ｒにダビングする場合、選択されたすべての記録ファイルのダビングが終了した後に自動的にファイナライズ処理が実行されるように設定することができる。
【０００５】
しかしながら、磁気記録再生装置では、記録ファイルごとにタイトルおよび時間の管理をすることが難しい。このため、たとえば磁気テープからＤＶＤ−Ｒへのダビングを行なう際、ＤＶＤ−Ｒに記録可能な領域がなくなった場合に（ＤＩＳＣ−ＦＵＬＬ）、自動的にダビング動作を停止させてファイナライズ処理が実行されるように設定することはできるが、それ以外の場合はユーザが手動でダビング動作を停止させてファイナライズ処理を実行する必要があった。
【０００６】
下記の特許文献１には、ファイナライズ処理における手動操作を少なくしたダビング装置およびそのファイナライズ処理方法が開示されている。これによると、光ディスク等の記録媒体に記録されている情報を再生して記録可能型ディスクに記録するに際して、ダビングのための記録が終了したときに、記録可能型ディスクにさらに追記される可能性が高いか否かを判別し、追記される可能性が高いときは記録可能型ディスクのファイナライズ処理をせず、追記される可能性が低いときは自動的にファイナライズ処理をする。
【０００７】
また、下記の特許文献２には、簡単なキー操作のみで媒体間における記録情報のダビングを可能とするとともに、記録情報のみを精度よくダビングし、さらにダビング後のサーチや編集を容易にすることができるようにした記録再生装置が開示されている。これによると、再生側の再生信号が無信号であった場合に、記録を一時停止もしくは停止させることができ、これよって再生信号の無信号部分をダビングしないようにすることができる。
【０００８】
また、下記の特許文献３には、時刻情報を利用することなく、任意のダビング範囲を容易にダビングできるダビングシステムが開示されている。これによると、時間や記録ファイルの個数に基づいてダビング範囲を任意に設定することにより、簡単な操作によってダビングしたい部分だけを記録することができる。また、磁気テープに時刻情報が記録されていなくても、インデックス信号を利用すれば、記録ファイルごとにダビングすることができる。
【特許文献１】特開２００２−３２４３２１号公報
【特許文献２】特開２００４−２２０６４８号公報
【特許文献３】特開２００４−９５１２０号公報
【発明の開示】
【発明が解決しようとする課題】
【０００９】
上述したように、従来の記録再生装置では、磁気テープからＤＶＤ−Ｒへのダビングを行なう際、「ＤＩＳＣ−ＦＵＬＬ」という条件に基づいて自動的にダビング動作を停止させてファイナライズ処理が実行されるように設定することはできたが、それ以外の場合はユーザが手動でダビング動作を停止させてファイナライズ処理を実行する必要があった。このため、ユーザにとって利便性がよくなかった。
【００１０】
それゆえに、この発明の主たる目的は、磁気テープからディスク媒体へのダビングを行なう際におけるユーザの利便性が向上する記録再生装置を提供することである。
【課題を解決するための手段】
【００１１】
この発明に係わる記録再生装置は、ビデオ・テープからデジタル・ビデオ・ディスクへのダビング機能を有する記録再生装置であって、ビデオ・テープに対して記録および再生を行なう磁気記録再生部と、デジタル・ビデオ・ディスクに対して記録および再生を行なうディスク記録再生部と、磁気記録再生部とディスク記録再生部の動作を制御する制御部とを備えたものである。制御部は、磁気記録再生部を再生状態にしてディスク記録再生部を記録状態にし、ビデオ・テープからデジタル・ビデオ・ディスクへのダビングを実行しているときに、ビデオ・テープがすべて再生し終わった場合にダビング動作を停止させてデジタル・ビデオ・ディスクを再生可能なフォーマットに変換するファイナライズ処理を実行する。
【００１２】
この発明に係わる他の記録再生装置は、磁気テープからディスク媒体へのダビング機能を有する記録再生装置であって、磁気テープに対して記録および再生を行なう磁気記録再生部と、ディスク媒体に対して記録および再生を行なうディスク記録再生部と、磁気記録再生部とディスク記録再生部の動作を制御する制御部とを備えたものである。制御部は、磁気記録再生部を再生状態にしてディスク記録再生部を記録状態にし、磁気テープからディスク媒体へのダビングを実行しているときに、磁気テープがすべて再生し終わった場合にダビング動作を停止させてディスク媒体を再生可能なフォーマットに変換するファイナライズ処理を実行する。
【００１３】
この発明に係わるさらに他の記録再生装置は、磁気テープからディスク媒体へのダビング機能を有する記録再生装置であって、磁気テープに対して記録および再生を行なう磁気記録再生部と、ディスク媒体に対して記録および再生を行なうディスク記録再生部と、磁気記録再生部とディスク記録再生部の動作を制御する制御部とを備えたものである。制御部は、磁気記録再生部を再生状態にしてディスク記録再生部を記録状態にし、磁気テープからディスク媒体へのダビングを実行しているときに、磁気テープの再生信号が所定期間継続して無信号となった場合にダビング動作を停止させてディスク媒体を再生可能なフォーマットに変換するファイナライズ処理を実行する。
【００１４】
好ましくは、磁気テープはビデオ・テープであり、ディスク媒体はデジタル・ビデオ・ディスクである。
【発明の効果】
【００１５】
この発明によれば、磁気テープからディスク媒体へのダビングを実行しているときに、磁気テープがすべて再生し終わった場合や磁気テープの再生信号が所定期間継続して無信号となった場合に、自動的にダビング動作を停止させてファイナライズ処理が実行されるように設定することができる。これにより、ユーザがその場にいてモニタを確認しながら手動でファイナライズ処理を実行する手間が省け、ユーザにとっての利便性が向上する。
【発明を実施するための最良の形態】
【００１６】
図１は、この発明の一実施の形態による記録再生装置の概略構成を示すブロック図である。図１において、この記録再生装置は、入力部１と、ディスク記録再生部２と、ＤＶＤ（デジタル・ビデオ・ディスク）３と、磁気記録再生部４と、磁気テープ（ビデオ・テープ）５と、制御部６と、操作部７と、出力部８とを備える。
【００１７】
入力部１は、テレビ信号や外部入力信号を受け、アナログ／デジタル変換などの所定の信号処理を施して制御部６に与える。ディクス記録再生部２は、ＤＶＤ３に対して記録および再生を行なう。磁気記録再生部４は、磁気テープ５に対して記録および再生を行なう。
【００１８】
制御部６は、入力部１から受けた信号を記録データとしてディスク記録再生部２や磁気記録再生部４に出力したり、ディスク記録再生部２や磁気記録再生部４によって再生された信号を出力部８に与えたりする。また、制御部６は、入力部１、ディスク記録再生部２、磁気記録再生部４および出力部８の動作を制御する。また、制御部６を介して、ＤＶＤ３と磁気テープ５との間で相互にダビング（記録）を実行することができる。
【００１９】
出力部８は、制御部６からの信号を受け、デジタル／アナログ変換などの所定の信号処理を施してモニタ（図示せず）に与える。ユーザは、操作部７を用いて記録再生装置の操作を行なう。
【００２０】
次に、磁気テープ５からＤＶＤ３（ＤＶＤ−Ｒ）へのダビングを行なう場合の動作について説明する。磁気テープ５からＤＶＤ３へのダビングを行なう際、磁気記録再生部４が再生状態にされてディスク記録再生部２が記録状態にされ、磁気テープ５の再生信号がＤＶＤ３に記録される。ここで、制御部６は、所定の条件に基づいてダビング動作を自動的に停止させる機能を有する。
【００２１】
図２は、磁気テープ５からＤＶＤ３へのダビング動作の自動停止機能について説明するためのフローチャートである。図２を参照して、ステップＳ１において、制御部６は、磁気テープ５の再生信号が所定期間（たとえば数分間）継続して無信号であるか否か（所定期間無信号？）を判別する。これは、磁気テープの再生信号が無信号である期間が数分間続く場合は、それ以降の部分には何も録画されていない可能性が高いと考えられるためである。制御部６は、磁気テープ５の再生信号が所定期間継続して無信号であった場合は（ＹＥＳ）、ステップＳ４に進んでダビング動作を停止させる。一方、磁気テープ５の再生信号が所定期間継続して無信号でない場合は（ＮＯ）、ステップＳ２に進む。
【００２２】
ステップＳ２において、制御部６は、磁気テープ５がすべて再生し終わったか否か（ＴＡＰＥ−ＥＮＤ？）を判別する。これは、一般に磁気テープ一本で一つの番組を録画する場合が多いと考えられるためである。制御部６は、磁気テープ５がすべて再生し終わった場合は（ＹＥＳ）、ステップＳ４に進んでダビング動作を停止させる。一方、磁気テープ５がすべて再生し終わっていない場合は（ＮＯ）、ステップＳ３に進む。
【００２３】
ステップＳ３において、制御部６は、ＤＶＤ３に記録可能な領域がなくなったか否か（ＤＩＳＣ−ＦＵＬＬ？）を判別する。そして、ＤＶＤ３に記録可能な領域がなくなった場合は（ＹＥＳ）、ステップＳ４に進んでダビング動作を停止させる。一方、ＤＶＤ３に記録可能な領域が残っている場合は（ＮＯ）、ステップＳ１に戻る。
【００２４】
ここで、記録済みのＤＶＤ−ＲやＤＶＤ−ＲＷに対して、他のディスク再生装置で再生可能なフォーマットに変換するファイナライズと呼ばれる処理（追記禁止処理）を行なう必要がある。図１に示した記録再生装置は、ダビング動作が停止したときに自動的にファイナライズ処理を行なうオートファイナライズモードと、ユーザが操作部７を用いて手動でファイナライズ処理を指示するマニュアルファイナライズモードとを有する。ユーザは、操作部７によって記録再生装置をオートファイナライズモードまたはマニュアルファイナライズモードに設定することができる。
【００２５】
図２に戻って、オートファイナライズモードに設定されている場合、ステップＳ４において、制御部６は、ダビング動作を停止させるとともに、ファイナライズ処理の実行を指示するフラグを立てる。すなわち、「所定期間無信号」「ＴＡＰＥ−ＥＮＤ」「ＤＩＳＣ−ＦＵＬＬ」のいずれかの条件に基づいて自動的にダビング動作が停止した場合は、ファイナライズ処理の実行を指示するフラグが立てられる。
【００２６】
図３は、ダビング動作停止後におけるファイナライズ処理の動作について説明するためのフローチャートである。ここで、図２に示したように「所定期間無信号」「ＴＡＰＥ−ＥＮＤ」「ＤＩＳＣ−ＦＵＬＬ」のいずれかの条件に基づいて自動的にダビング動作が停止した場合や、ユーザが操作部７を用いて手動でダビング動作を停止させた場合などが想定される。
【００２７】
ステップＳ１１において、制御部６は、オートファイナライズモードに設定されているか否かを判別する。そして、オートファイナライズモードに設定されている場合はステップＳ１２に進み、オートファイナライズモードに設定されていない場合はファイナライズ処理を実行せずに終了する。
【００２８】
ステップＳ１２において、制御部６は、ファイナライズ処理の実行を指示するフラグが立っているか否かを判別する。ここで、ファイナライズ処理の実行を指示するフラグが立っている場合は、ステップＳ１３に進んでファイナライズ処理を実行し、ファイナライズ処理の実行を指示するフラグが立っていない場合は、ファイナライズ処理を実行せずに終了する。具体的には、「所定期間無信号」「ＴＡＰＥ−ＥＮＤ」「ＤＩＳＣ−ＦＵＬＬ」のいずれかの条件に基づいて自動的にダビング動作が停止した場合は、ファイナライズ処理の実行を指示するフラグが立っているため、ファイナライズ処理が実行される。一方、ユーザが操作部７を用いて手動でダビング動作を停止させた場合など、ファイナライズ処理の実行を指示するフラグが立っていない場合は、ファイナライズ処理が実行されない。
【００２９】
したがって、磁気テープからＤＶＤ３（ＤＶＤ−Ｒ）へのダビングを行なう際、従来はＤＶＤ３に記録可能な領域がなくなった場合（ＤＩＳＣ−ＦＵＬＬ）以外は、ユーザが手動でダビング動作を停止させてファイナライズ処理を実行する必要があったのに対して、この一実施の形態では「所定期間無信号」「ＴＡＰＥ−ＥＮＤ」「ＤＩＳＣ−ＦＵＬＬ」のいずれかの条件に基づいて自動的にダビング動作を停止させてファイナライズ処理が実行されるように設定することができる。これにより、ユーザがその場にいてモニタを確認しながら手動でファイナライズ処理を実行する手間が省け、ユーザにとっての利便性が向上する。
【００３０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３１】
【図１】この発明の一実施の形態による記録再生装置の概略構成を示すブロック図である。
【図２】磁気テープからＤＶＤへのダビング動作の自動停止機能について説明するためのフローチャートである。
【図３】ダビング動作停止後におけるファイナライズ処理の動作について説明するためのフローチャートである。
【符号の説明】
【００３２】
１  入力部、２  ディスク記録再生部、３  ＤＶＤ、４  磁気記録再生部、５  磁気テープ、６  制御部、７  操作部、８  出力部。
【図１】
2007026543.tif 000003
【図２】
2007026543.tif 000004
【図３】
2007026543.tif 000005